(57)【要約】【課題】リモコン装置からの信号を受ける感度を高めつつ、消費電力を抑えることのできる制御装置、制御方法を提供すること。【解決手段】この制御装置は、受信信号を整流する整流部と、整流部が整流した信号を増幅する増幅素子と、該増幅素子と接続され増幅素子を補助する補助素子とを有する増幅部と、増幅部が増幅した信号の有無を判定する判定部と、所定のタイミングで補助素子の増幅素子との接続を制御する制御部とを具備している。【選択図】図１
2010045645.tif 000002
【特許請求の範囲】
【請求項１】
受信信号を整流する整流部と、
整流部が整流した信号を増幅する増幅素子と、該増幅素子と接続され前記増幅素子を補助する補助素子とを有する増幅部と、
前記増幅部が増幅した信号の有無を判定する判定部と、
所定のタイミングで前記補助素子の前記増幅素子との接続を制御する制御部と
を具備したことを特徴とする制御装置。
【請求項２】
前記増幅部が前記補助素子を複数有し、
前記制御部が前記所定のタイミングで前記補助素子の前記増幅素子との接続数を制御すること
を特徴とする請求項１記載の制御装置。
【請求項３】
前記増幅部が前記補助素子を複数有し、
前記制御部は、前記増幅部の感度を高くするため、前記補助素子の前記増幅素子との最適な第１の接続数を探索する補正制御をさらに行い、前記補助素子の前記増幅素子との接続数を、前記所定のタイミングで前記第１の接続数および前記第１の接続数以外の第２の接続数のいずれか一方に制御すること
を特徴とする請求項１記載の制御装置。
【請求項４】
前記整流部の出力と前記増幅部の増幅素子との間に接続されたスイッチ部をさらに備え、
前記制御部は、前記探索を行う間、前記スイッチ部をオフとすること
を特徴とする請求項３記載の制御装置。
【請求項５】
前記制御部は、前記補助素子の前記増幅素子との接続数として、前記第１の接続数および前記第２の接続数をいずれか一方を交互に選択して設定することを特徴とする請求項３記載の制御装置。
【請求項６】
前記制御部は、前記補正制御、前記第１の接続数とする制御および前記第２の接続数とする制御をサイクルとして実行することを特徴とする請求項３記載の制御装置。
【請求項７】
受信信号を整流する整流部と、整流部が整流した信号を増幅する増幅素子と、該増幅素子と接続され前記増幅素子を補助する補助素子とを有する増幅部と、前記増幅部が増幅した信号の有無を判定する判定部と、所定のタイミングで前記補助素子の前記増幅素子との接続を制御する制御部とを具備した制御装置の制御方法であって、
前記制御部が、前記増幅部の感度を高くするため、前記補助素子の前記増幅素子との最適な第１の接続数を探索し、
前記制御部が、前記補助素子の前記増幅素子との接続数を、前記所定のタイミングで前記第１の接続数に制御し、
前記制御部が、前記補助素子の前記増幅素子との接続数を、前記第１の接続数以外の第２の接続数に制御すること
を特徴とする制御方法。
【発明の詳細な説明】
【技術分野】
【０００１】
本発明は、例えば微弱信号に基づいて制御信号を生成する制御装置、制御方法に関する。
【背景技術】
【０００２】
テレビなどの家電製品を制御するリモコン装置および制御装置は、一般に一方向通信の光通信技術を用いている。すなわち、リモコン装置が光信号等を発射し、テレビに内蔵した制御装置がその光信号を受信して電気信号に変えて制御信号を得ている。
【０００３】
このようなリモコン装置および制御装置では、制御装置の受光部を常時動作させる必要があるため、いわゆる待機電力を消費してしまう。また、受光部を駆動するため、制御装置に電源電圧を変換する回路を設けた場合には、減圧回路での電力ロスが受光部自体の消費電力より大きくなり、制御装置全体として消費電力が大きくなってしまうこともあり得る。
【０００４】
そこで、制御装置を電池により駆動し、受信波を整流して得られた信号をそのまま制御信号の生成に利用することが提案されている（たとえば特許文献１）。しかし、受信波を整流する整流器は一般に感度が低く、整流器の感度を補うためには増幅器が必要となる。増幅器は電力を消費するから、制御装置の電池に負担をかけることになる。
【特許文献１】特開２００５−２９５２８９号公報
【発明の開示】
【発明が解決しようとする課題】
【０００５】
このように、リモコン装置からの指示信号に基づいて制御信号を生成する制御装置においては、リモコン装置からの光等を受ける感度を高めようとすると、制御装置全体（特に増幅器を含む受信フロントエンド）の消費電力が増大するという問題がある。
【０００６】
本発明はこのような課題を解決するためになされたもので、リモコン装置からの信号を受ける感度を高めつつ、消費電力を抑えることのできる制御装置、制御方法を提供することを目的としている。
【課題を解決するための手段】
【０００７】
上記した目的を達成するために、本発明の一つの態様に係る制御装置は、受信信号を整流する整流部と、整流部が整流した信号を増幅する増幅素子と、該増幅素子と接続され増幅素子を補助する補助素子とを有する増幅部と、増幅部が増幅した信号の有無を判定する判定部と、所定のタイミングで補助素子の増幅素子との接続を制御する制御部とを具備している。
【０００８】
また、本発明の他の態様に係る制御方法は、受信信号を整流する整流部と、整流部が整流した信号を増幅する増幅素子と、該増幅素子と接続され増幅素子を補助する補助素子とを有する増幅部と、増幅部が増幅した信号の有無を判定する判定部と、所定のタイミングで補助素子の増幅素子との接続を制御する制御部とを具備した制御装置の制御方法であって、制御部が、増幅部の感度を高くするため、補助素子の増幅素子との最適な第１の接続数を探索し、制御部が、補助素子の増幅素子との接続数を、所定のタイミングで第１の接続数に制御し、制御部が、補助素子の増幅素子との接続数を、第１の接続数以外の第２の接続数に制御することを特徴とする。
【発明の効果】
【０００９】
本発明によれば、リモコン装置からの信号を受ける感度を高めつつ消費電力を抑えることのできる制御装置、制御方法を提供することができる。
【発明を実施するための最良の形態】
【００１０】
本発明の実施形態に係る制御装置では、リモコン装置が電波により指示信号を送信し、制御装置が当該指示信号を受信してテレビなどの制御対象を制御する制御信号を生成する。指示信号を伝送する媒体は電波に限定されず、たとえば赤外線などの光信号を用いてもよい。制御装置は、電池などにより駆動され、受信した指示信号を整流し、指示信号の有無を判定し、指示信号があると判定された場合に制御信号を出力する。
【００１１】
通常、指示信号は微弱であり、単に整流しただけでは判定に足りる大きさの信号を得ることが難しい。そこで、この実施形態の制御装置は、指示信号を整流した整流信号を、増幅器を用いて増幅し、増幅した信号の大きさに基づいて指示信号の有無を判定する。しかし、増幅器を常に高感度状態とすると、制御装置を駆動する電池の負担が大きくなり、制御装置自体の連続稼働時間が短くなってしまう。そこで、本発明の実施形態に係る制御装置では、増幅器の状態を制御して制御装置全体の消費電力を抑えることで、高感度かつ低消費電力の制御を可能としている。
【００１２】
具体的には、増幅器の感度を時分割で変えるシステムを実現する。すなわち、感度の高い時間と感度の低い時間に分割する。増幅器が高感度で動作する時間は消費電力が高いが、低感度で動作する時間は貫通電流が少なくなるように構成されるため消費電力が下がる。以下に説明する実施形態では、高感度と低感度を認識する時間（補正動作の時間）ＴＣを電源投入後の初期設定時に設け、認識を行なったのち、高感度時間ＴＨ、低感度時間ＴＬの２つの状態に時分割して、周期的に動作させるようにしている。
【００１３】
（第１の実施形態）
以下、本発明の一つの実施形態を、図面を参照して詳細に説明する。図１は、本発明に係る一つの実施形態の制御装置の構成を示す図、図２は、図１に示す制御装置の具体例を示す回路図である。図１に示すように、この実施形態に係る制御装置１は、リモコン装置２からの信号を受けるアンテナ部１０と、アンテナ部１０が受けた信号を整流する整流部２０と、整流された信号を増幅する増幅部４０と、増幅された信号の大きさに基づいて指示信号の有無を判定する判定部５０と、判定部５０の判定結果に基づいて制御信号を生成する制御部６０とを備えている。また、整流部２０の出力と増幅部４０の入力との間には、制御部６０からの指示に基づいて開閉動作するスイッチ部３０が備えられている。
【００１４】
リモコン装置２は、指示信号を生成する指示信号生成部７０と、生成された指示信号を制御装置１へ送信する送信部８０およびアンテナ部９０とを備えている。
【００１５】
アンテナ部１０は、リモコン装置２からの指示信号を受信する。アンテナ部１０は、リモコン装置２が指示信号を伝送する媒体に合わせたものを用いることができる。たとえば、リモコン装置２が電波により指示信号を送信するものであれば、アンテナ部１０は電波を受けるアンテナとなり、リモコン装置２が赤外線などの光により指示信号を送信するものであれば、アンテナ部１０は受光素子などにより実現することができる。
【００１６】
整流部２０は、整流作用をもつ機能素子であり、たとえばダイオードやトランジスタなどの半導体素子を用いることができる。整流部２０は、アンテナ部が受けた微弱信号を整流するから、低損失のものが望ましい。
【００１７】
図２に示す例では、整流部２０は、直列に接続したｎ型ＭＯＳＦＥＴ（以下「Ｍ００」「Ｍ０１」）を備え、当該ＭＯＳＦＥＴの整流作用を用いている。Ｍ００とＭ０１の接続点には、キャパシタを介してアンテナ部１０の出力が接続され、Ｍ００のドレインからキャパシタＣ１を介して整流信号が出力される。キャパシタＣ１は、整流部１０の出力の変化分を取り出す作用をする。
【００１８】
増幅部４０は、整流部が整流した信号を増幅する。増幅部４０は、リモコン装置２からの指示信号の強弱を補正（ばらつきを補正）して判定部５０による判定精度を高める（＝判定感度を高める）機能を有する。ばらつきの補正のタイミングは、制御部６０により制御される。
【００１９】
図２に示すように、増幅部４０は、互いにドレイン同士が接続されたｐ型ＭＯＳＦＥＴ（以下「Ｍ４」と称する。）およびｎ型ＭＯＳＦＥＴ（同「Ｍ１」）と、互いにドレイン同士が接続されたｐ型ＭＯＳＦＥＴ（同「Ｍ３」）およびｎ型ＭＯＳＦＥＴ（同「Ｍ２」）とを備えている。Ｍ４およびＭ３のソースとＭ１およびＭ２のソースとは、それぞれ電源ＶＤＤとグラウンドとに接続されている。Ｍ１のゲートには、電流源Ｉ１が接続されている。Ｍ２のゲートには、電流源Ｉ２が接続されている。Ｍ１のゲートには、ソースが接地されたｎ型ＭＯＳＦＥＴ（Ｍ０２）のゲートおよびドレインが接続され、Ｍ０２およびＭ１は協働してカレントミラー回路を構成している。Ｍ２のゲートには、ソースが接地されたｎ型ＭＯＳＦＥＴ（ＭＸ２）のドレインおよびゲートが接続されている。
【００２０】
電流源Ｉ１を備えることにより、Ｍ１が動作するために必要なしきい値電圧がＭ１に印加される。このため、感度が高くなる。並列接続されたＭＯＳＦＥＴ回路で調整されるのはＶｏ１の電圧であり、Ｍ１０およびＭ１１からなるインバータに流れる電流が最も大きいから、Ｍ０２、Ｍ２、Ｍ１に流れる電流はそれに比べて無視できるものである。したがって、本回路により感度の時分割操作を行うことで、消費電力を大幅に低減できる。
【００２１】
整流部２０の整流出力は、Ｍ０２およびＭ１からなるカレントミラー回路の入力（Ｍ１のゲート）に入力され、Ｍ１のドレインから電流として出力される。Ｍ４のゲートはＭ３のゲートに接続されている。Ｍ２のゲートにはバイアスがかけられている。その結果、Ｍ４およびＭ１の接続点には増幅出力電圧Ｖ０１が発生する。なお、一端が接地されたキャパシタＣは、Ｍ０２の入出力特性により発生する電圧ＶＭ１を安定化させる作用をする。キャパシタＣの他端には、ソースが接地されたｎ型ＭＯＳＦＥＴ（Ｍ０３）のドレインおよびゲートが接続されている。
【００２２】
アンテナ部１０に入力がないと、原理的にはＭ１のゲート電圧ＶＭ１は、しきい値電圧になる。カレントミラーＭＸ２−Ｍ２およびＭ３−Ｍ４により電流Ｉ２がＭ４へコピーされる。カレントミラーを構成するトランジスタに素子ばらつきがないと、Ｍ１に流れる電流とＭ４に流れる電流とがほぼ等しくなり、Ｖ０１はＶＤＤ／２程度の電圧になる。電流源Ｉ１、Ｉ２がない場合、Ｍ１のゲート電圧ＶＭ１はグラウンド電位になるが、微細ＣＭＯＳの場合ドレインソース間に電圧がかかるとリーク電流が流れる。この電流が結果的に入力オフセットになるため、感度を高めるにはリーク電流を相殺する仕組みを導入する必要がある。Ｍ２は、アンテナ部１０での無信号入力時にＭ１に流れるリーク電流を模擬したリーク電流を発生する作用をする。Ｍ３およびＭ４はカレントミラー回路を構成しており、Ｍ１のリーク電流を補償する電流がＭ４から出力される。これによりＶ０１は無信号入力時にＶＤＤ／２程度の電圧となる。
【００２３】
この実施形態では、増幅部４０は、Ｍ１ないしＭ４の素子特性のばらつきに起因するオフセットを微調整する回路をさらに備えている。すなわち、図２に示すように、増幅部４０は、Ｍ３と並列接続されたｐ型ＭＯＳＦＥＴ・Ｍ３Ｃ−１…Ｍ３Ｃ−２と、Ｍ２を並列接続されたｎ型ＭＯＳＦＥＴ・Ｍ２ｂ−１…Ｍ２ｂ−２とをさらに備えている。Ｍ３Ｃ−１…Ｍ３Ｃ−２およびＭ２ｂ−１…Ｍ２ｂ−２は、それぞれスイッチＳＷｃ１…ＳＷｃ２およびＳＷｂ１…ＳＷｂ２によりソースが切断可能とされており、制御部６０が並列接続数を制御できるように構成されている。なお、図２ではＭ３Ｃ−１…Ｍ３Ｃ−２およびＭ２ｂ−１…Ｍ２ｂ−２の並列接続数は最大２つとなっているが、これには限定されない。オフセット調整量に応じて増減することができる。最終的な調整完了状態では、出力ＶｏはＨ（ＶＤＤ）とＬ（ＧＮＤ）の中間（ＶＤＤ／２）となる。
【００２４】
判定部５０は、増幅部４０の出力信号に基づき指示信号の有無を判定する。図２に示す例では、判定部５０は、互いにドレイン同士が接続されたｐ型ＭＯＳＦＥＴ（同「Ｍ１１」）およびｎ型ＭＯＳＦＥＴ（同「Ｍ１０」）を備えたインバータを有している。Ｍ１１およびＭ１０のソースは、それぞれ電源ＶＤＤおよびグラウンドに接続されている。増幅部４０の出力、すなわち、図２に示す電圧Ｖ０１は、Ｍ１１およびＭ１０のゲートに接続されている。アンテナ部１０が無信号入力状態の場合、Ｍ１のゲートはしきい値電圧近傍となる。ＭＸ２−Ｍ２・Ｍ２ｂ−１・Ｍ２ｂ−２のカレントミラーおよびＭ３・Ｍ３ｃ−１・Ｍ３ｃ−２−Ｍ４のカレントミラーの設定によりＭ１に流れる電流よりもＭ４に流れる電流が小さくなるように設定すると、Ｖ０１はＶＤＤ近傍となる。このとき、Ｍ１１およびＭ１０からなる判定部５０は、ＶＤＤを反転したＬを出力する。一方、アンテナ部１０に信号が入力されると、Ｍ１のゲートはしきい値電圧より高くなり、Ｖｏ１がグラウンド電位となる。結果として判定部５０の出力ＶｏはＨとなる。Ｉ１＝Ｉ２＝０の場合は、無信号入力状態の場合、Ｍ１のゲートはグラウンドとなってＭ１がオフとなる。Ｍ４からのリーク電流がＭ１のものよりも大きく設定するように寸法を決めたと仮定すると、この場合Ｖ０１はＶＤＤとなり、Ｍ１１およびＭ１０からなる判定部５０はＶＤＤを反転したＬを出力する。一方、アンテナ部１０に信号が入力されると、Ｍ１はオンとなり、Ｖ０１がグラウンド電位となる。結果として判定部５０の出力ＶｏはＨとなる。
【００２５】
スイッチ部３０は、整流部２０および増幅部４０の間に介挿されている。スイッチ部３０は、整流部２０から増幅部４０へ入力される信号を遮断して、増幅部４０のオフセット調整を可能にする。前述の通り増幅部４０は、素子のばらつきに起因するオフセットを調整する回路を有しているが、この調整は入力信号がある状態では正確に調整することができない。スイッチ部３０は、かかるオフセット調整（キャリブレーション）の際に増幅部４０の入力を遮断する。なお、スイッチ部３０の開閉動作は、制御部６０により制御される。
【００２６】
制御部６０は、増幅部４０のオフセット調整を制御するとともに、増幅部４０の利得調整を制御する機能を有する。制御部６０は、判定部５０の判定結果に基づいて制御信号を生成する制御信号生成部６１と、制御タイミングを与えるクロック６２と、増幅部４０のオフセット調整を制御するキャリブレーション制御部６３（ＣＡＬ制御部）と、増幅部４０の利得調整を制御する増幅器制御部６４と、オフセット調整および利得調整のタイミング等を記憶するメモリ６５とを備えている。制御部６０は、ＣＰＵやメモリなどにより実現される。なお、メモリ６５は、ＣＡＬ制御部６３や増幅器制御部６４の動作手順のほか、図２に示すスイッチＳＷｂ１…ＳＷｂ２およびＳＷｃ１…ＳＷｃ２の状態をも記憶することができる。
【００２７】
リモコン装置２は、指示信号生成部７０と、送信部８０と、アンテナ９０とを備えている。指示信号生成部７０は、図示しない入力部と接続され、ユーザの指示に基づいて所定の指示信号を生成する。送信部８０は、生成された指示信号により高周波信号を変調する等により送信信号を生成する。アンテナ部９０は、送信部８０が生成した送信信号を送信する。送信部８０やアンテナ部９０は、指示信号を伝送する媒体に応じて変更することができる。たとえば、赤外線を利用する場合は、赤外線発光ダイオードなどと組み合わせて実現することができる。
【００２８】
リモコン装置２は、制御装置に対応するＩＤ信号を指示信号として送信する。指示信号として送信されたリモコン装置２からのＩＤ信号が、制御装置のＩＤと同じであり、かつ、被制御機器５の電源が遮断されていた場合、制御装置１は電源の遮断を解除する制御信号を生成し、被制御機器５に電源を供給する。一方、送信されたＩＤ信号が制御装置のＩＤと同じであり、被制御機器５がすでに動作していた場合、制御装置１は被制御機器５の電源をオフにすると同時に電源を遮断する制御信号を生成する。
【００２９】
次に、この実施形態に係る制御装置の動作例を説明する。図３は、この実施形態に係る制御装置の動作を示すフローチャート、図４は、図２に示す制御装置の変形例を示す回路図、図５は、この実施形態に係る増幅部の動作を示す図、図６は、この実施形態に係る増幅部の補正動作を示す図、図７ないし図９は、この実施形態に係るリモコン装置が送信する指示信号の例を示す図である。
【００３０】
この実施形態に係る制御装置は、（１）補正動作（キャリブレーション動作）、（２）高感度動作、および（３）低感度動作の３つの動作状態を繰り返し、リモコン装置２からの指示信号の受信を待機する。すなわち、感度が高く消費電力の大きい高感度動作と、感度は劣るものの消費電力を抑えた低感度動作とを繰り返すことにより、全体としての消費電力を抑えている。
【００３１】
図３に示すように、ＣＡＬ制御部６３は、メモリ６５を初期化する（ステップ１００。以下「Ｓ１００」のように称する）。初期状態では、増幅部４０の感度が低い状態（低感度状態）とされる。たとえば、スイッチＳＷｂ１…ＳＷｂ２がすべてオンとされてＭ２と並列接続されたＭ２ｂ−１…Ｍ２ｂ−２の接続数が最大数とされ（ここでは並列数をＭとする）、スイッチＳＷｃ１…ＳＷｃ２がすべてオフとされてＭ３と並列接続されたＭ３ｃ−１…Ｍ３ｃ−２の接続数がゼロ（すなわちＭ３だけの状態）とされる。初期化されたメモリ６５は、図２に示す増幅部４０の各スイッチの初期状態を記憶する。この例では、スイッチＳＷｂ１…ＳＷｂ２の接続数ｍがＭ、スイッチＳＷｃ１…ＳＷｃ２の接続数ｎがゼロとして、変数ｘの初期値ゼロに対応づけられて記憶される。
【００３２】
メモリ６５が初期化されると、ＣＡＬ制御部６３は、スイッチ部３０をオフにする（Ｓ１０５）。スイッチ部３０をオフにすることで、増幅部４０を無信号入力状態とする。この状態は、Ｍ１ないしＭ４のばらつきに起因するオフセットの補正に適した状態である。なお、図２に示す例ではスイッチＳＷａ１が整流部２０および増幅部４０の間に直列接続されているが、スイッチ部３０を増幅部４０の入力を短絡する、もしくは、整流部内のＭ０３のドレイン・ソース間電圧（整流部の出力）を短絡するように接続してもよい。この場合、スイッチ部をオンにすれば増幅部４０の入力を無信号入力状態とすることができる。図４は、整流部出力にスイッチ部３０に替えて、スイッチ部３１を備えた変形例を示している。かかる変形例においても、増幅部４０を無信号入力状態とすることができる。
【００３３】
スイッチ部３０がオフになると、ＣＡＬ制御部６３は、判定部５０の判定結果を検出する（Ｓ１１０）。検出の結果、判定部５０の出力ＶｏがＨでない場合（Ｓ１１５のＮｏ）、ＣＡＬ制御部６３は、変数ｘに１を追加し（Ｓ１２０）、スイッチＳＷｂ１…ＳＷｂ２の接続数ｍがゼロか否か判定する（Ｓ１２５）。ｍがゼロでなければ（Ｓ１２５のＮｏ）、スイッチＳＷｂ１…ＳＷｂ２を一つオフとしてＭ２ｂ−１…Ｍ２ｂ−２の接続数ｍを１つを減らし、ｍがゼロであれば（Ｓ１２５のＹｅｓ）、Ｍ３ｃ−１…Ｍ３ｃ−２の接続数ｎに１を追加する（Ｓ１３５）。すなわち、判定部５０の判定結果がＨではない場合、増幅部４０の感度は最大とはなっていないから、初期状態で並列接続数が最大となっているＭ２ｂ−１…Ｍ２ｂ−２の接続数ｍを１つ減らすことになる。一方、Ｍ２ｂ−１…Ｍ２ｂ−２の接続数ｍがゼロになっていたら、これはＭ２のみとなっている状態であるから、今度はＭ３ｃ−１…Ｍ３ｃ−２の接続数を１つずつ加算していく。このように、判定部５０の出力ＶｏがＨとなるまで、Ｍ２ｂ−１…Ｍ２ｂ−２の接続数ｍを減らし、ｍがゼロになった後はＭ３ｃ−１…Ｍ３ｃ−２の接続数ｎを追加していく処理を行う。
【００３４】
Ｍ２ｂ−１…Ｍ２ｂ−２の接続数ｍおよび／またはＭ３ｃ−１…Ｍ３ｃ−２の接続数ｎを増減した後、ＣＡＬ制御部６３は再度判定部５０の判定結果を検出する（Ｓ１１０）。判定部５０の出力ＶｏがＨでなければ、ステップ１２０〜１３５を繰り返す（Ｓ１１５のＮｏ）。
【００３５】
判定部５０の出力ＶｏがＨである場合（Ｓ１１５のＹｅｓ）、ＣＡＬ制御部６３は、変数ｘを１つ減じた状態に対応するＭ２ｂ−１…Ｍ２ｂ−２の接続数ｍおよびＭ３ｃ−１…Ｍ３ｃ−２の接続数ｎを、高感度状態であるとしてメモリ６５に記憶する。すなわち、判定部５０の出力ＶｏがＨとなる直前の状態を高感度状態として、対応するＭ２ｂ−１…Ｍ２ｂ−２の接続数ｍおよびＭ３ｃ−１…Ｍ３ｃ−２の接続数ｎを記憶する（Ｓ１４０）。
【００３６】
併せて、ＣＡＬ制御部６３は、高感度状態をなすＭ２ｂ−１…Ｍ２ｂ−２の接続数ｍおよびＭ３ｃ−１…Ｍ３ｃ−２の接続数ｎよりも感度の低い状態を低感度状態として、対応するＭ２ｂ−１…Ｍ２ｂ−２の接続数およびＭ３ｃ−１…Ｍ３ｃ−２の接続数を記憶する。図２および図３に示す例では、高感度状態の変数の値がｘであるとすると、変数の値がｘ−Ｎ（Ｎは整数）となるＭ２ｂ−１…Ｍ２ｂ−２の接続数およびＭ３ｃ−１…Ｍ３ｃ−２の接続数を低感度状態として記憶する。具体的には、接続数ｎがゼロのままであれば、接続数ｍをＮだけ加算した接続数とした状態、接続数ｍがゼロであれば、接続数ｎからＮだけ減じた接続数とした状態が相当する。
【００３７】
この状態を示すのが図５である。図５は、図２に示す増幅部４０の感度調整の様子を示す特性図である。Ｍ２およびＭ３にＭＯＳＦＥＴの並列接続数を増減していくと、それにつれてバイアスが増減されるから、増幅部４０の入出力特性が変化する（図５中上段実線）。ここで、図２に示す増幅部４０の感度が最大となるのは、入力と出力が等しい電圧の状態である（図５中上段グラフの右上がり波線）。このとき電流Ｉは最大となる。そこで、上記補正動作では、Ｍ２ｂ−１…Ｍ２ｂ−２の接続数およびＭ３ｃ−１…Ｍ３ｃ−２の接続数を増減して、当該右上がり波線と入出力特性との交点に近づける作業を行っていることになる。その結果、図５の下段グラフの波線に示すように、感度が高い状態（ピークの状態）が探索され、そのときの変数ｘと、対応する接続数ｍ、ｎが高感度状態の組み合わせとしてメモリ６５に記憶される。低感度状態を作り出すには、高感度状態のピークを外した状態を作り出せばよい。従って、図５に示すように高感度状態の変数ｘの値から所定数Ｎを差し引いた状態に対応する接続数ｍ、ｎをメモリ６５に記憶しておき、この組み合わせを用いることで低感度状態が実現できる。
【００３８】
Ｓ１０５からＳ１４０までの動作は、前述の補正動作に対応する。この補正動作により、Ｍ１ないしＭ４の素子間のばらつきに起因するオフセットを除去した高感度状態とそれよりも感度を落として消費電力を抑えた低感度状態のスイッチＳＷｂおよびＳＷｃの組み合わせをメモリに記憶することができる。
【００３９】
続いて、ＣＡＬ制御部６３は、スイッチ部３０をオンとする（Ｓ１４５）。これにより、整流部２０と増幅部４０とが接続されて制御装置１が受信状態となる。
【００４０】
ＣＡＬ制御部６３がスイッチ部３０をオンにすると、増幅器制御部６４は、メモリ６５から高感度状態の接続数ｍ、ｎを呼び出し、対応する増幅部４０のスイッチＳＷｂ１…ＳＷｂ２およびＳＷｃ１…ＳＷｃ２を制御して、所定期間ＴＨだけその状態を維持する（Ｓ１５０）。所定期間ＴＨは、増幅器制御部６４がクロック６２からの時刻信号に基づいて決定することができる。
【００４１】
次に、増幅器制御部６４は、メモリ６５から低感度状態の接続数ｍ、ｎを呼び出し、対応する増幅部４０のスイッチＳＷｂ１…ＳＷｂ２およびＳＷｃ１…ＳＷｃ２を制御して、所定期間ＴＬだけその状態を維持する（Ｓ１５５）。所定期間ＴＬも、増幅器制御部６４がクロック６２からの時刻信号に基づいて決定することができる。
【００４２】
所定期間ＴＬが経過すると、増幅器制御部６４は、ＣＡＬ制御部６３が補正動作を終了してからどれくらい時間が経過したか（ＣＡＬ制御部６３から処理を受け取ってからどれくらい時間が経過したか）を判定する（Ｓ１６０）。判定の結果、所定時間ＴＤＥＦを経過していなければ（Ｓ１６０のＮｏ）、メモリ６５から高感度状態の接続数ｍ、ｎを読み出して所定時間ＴＨの間その状態を維持する（Ｓ１５０）。すなわち、所定時間ＴＤＥＦを経過するまで高感度状態と低感度状態とが交互に繰り返される（Ｓ１５０〜Ｓ１６０）。
【００４３】
所定時間ＴＤＥＦが経過すると（Ｓ１６０のＹｅｓ）、増幅器制御部６４は処理をＣＡＬ制御部６３に返し、補正動作を再開する（Ｓ１０５）。
【００４４】
この例では、所定時間ＴＤＥＦを経過するごとに補正動作を繰り返すので、周囲の温度変化により素子Ｍ１〜Ｍ４間のばらつきが大きい場合でも高感度状態を維持できる。周囲の状況が安定していて、たとえば電源投入時にのみ補正動作を行えば足りる状況であれば、ステップ１６０を省略して、ステップ１０５〜１４５の補正動作を行った後ステップ１５０および１５５のみを繰り返してもよい。
【００４５】
図６は、図３に示す制御装置１の動作を示している。すなわち、最初に期間ＴＣの間補正動作が実行され、その後期間ＴＨの高感度動作、期間ＴＬの低感度動作が繰り返されている。
【００４６】
このように、この実施形態の制御装置によれば、高感度状態と低感度状態とを交互に繰り返すので、実質的に高感度状態を含めつつ消費電力を抑えることができる。また、高感度状態の動作に先だって補正動作を行うので、より高感度かつ適切な消費電力の状態を高感度状態として設定することができる。
【００４７】
ここで、リモコン装置２が送信する指示信号と、制御装置１の高感度状態・低感度状態それぞれの動作との関係について説明する。この実施形態に係る制御装置では、高感度状態と低感度状態の二つの動作状態を有しているから、リモコン装置と制御装置との間の距離に応じて、リモコン装置側においても消費電力を抑えることが可能である。
【００４８】
たとえば、リモコン装置と制御装置との間の距離が比較的長い場合、制御装置が高感度状態で受信しなければ指示信号を正確に受信できないおそれがある。一方、前述の通り、高感度状態と低感度状態とは交互に動作するから、伝送距離が長い場合には高感度状態の期間ＴＨに指示信号が到達する必要がある。すなわち、低感度状態の期間ＴＬよりも長い時間指示信号が送られる必要がある。図７は、かかる伝達距離が長い場合の例を示している。指示信号の一単位の送信時間をＴＩＤＴとし、ＴＩＤＴ≦ＴＨ／２とすると、制御信号送信時間ＴＣＴＬ（＝Ｍ・ＴＩＤＴ）は、高感度状態と低感度状態の１周期（ＴＨ＋ＴＬ）に相当する時間分必要になる。
【００４９】
一方、リモコン装置と制御装置との間の距離が短い場合は、制御装置が必ずしも高感度状態である必要がない。すなわち、図８に示すように、指示信号の一単位の送信時間をＴＩＤＴの長さだけ指示信号が送信されれば、制御信号は指示信号を受信できることになる。
【００５０】
そこで、リモコン装置側の消費電力を低減させるため、指示信号生成部７０にタイマを設けて、指示信号の送信時間を切り替え可能とすればよい。たとえば、リモコン装置２に「感度切り替えスイッチ」を設け、高感度とすると指示信号をＴＨ＋ＴＬの期間送信し、低感度とすると指示信号をＴＩＤＴの期間送信するように構成する。かかる構成により、リモコン装置による指示信号送信時間を最低限とすることができ、リモコン装置側の消費電力をも低減することができる。
【００５１】
リモコン装置側の消費電力を抑える他の方法として、ユーザがボタン等を押している時間に応じて指示信号送信時間を制御することもできる。たとえば、リモコン装置の指示信号生成部７０にカウンタを設け、ユーザがボタン等を押している時間を計測する。そして、得られた時間に応じて、指示信号送信時間を決定すればよい。図９に示すのはかかる構成により送信される指示信号の例を示している。ボタンを押下する時間ＴＰＵＳＨが短い場合（上段）、カウンタＣＮは少ない数を与え、ＴＰＵＳＨが長い場合（下段）、カウンタＣＮは大きい数を与える。そして、与えられたカウント値が所定の閾値以下の場合は低感度・閾値以上は高感度となるように構成すれば、指示信号送信時間を最低限としつつ利便性の高いリモコン装置を提供できる。
【００５２】
ここで、リモコン装置２が送信する指示信号の条件と消費電力についてより詳細に説明する。リモコン装置が指示信号としてＩＤを送信する期間をＴＩＤＴとすると、ＩＤ信号を必ず高感度の時間ＴＨで受ける条件は、ＴＩＤＴ＜ＴＨ／２を満たすことと、ＴＩＤＴを周期とする信号を低利得と高利得の時間を合わせた一周期分（ＴＣＴＬ）送信することである。図７および図８はかかるＴＩＤＴ、ＴＨ、ＴＣＴＬの条件をも示している。ＴＣＴＬ／ＴＩＤＴ＝Ｍ（Ｍは整数）である。
【００５３】
仮にリモコンの送信電力を１０ｄＢｍ、制御装置１の消費電力が低感度時に０．１μＷ、高感度時に０．５μＷとし、ＴＣＴＬを１ｍｓ、ＴＨを０．１ｍｓとするシステムを想定すると、制御装置１は、時分割感度制御により１ｍ・ｓあたり０．９ｍ・ｓ×０．４μＷ＝０．３６ｎＷｓのエネルギーの削減になる。すなわち、０．３６μＷの消費電力削減になる。
【００５４】
一方、リモコンの送信機の効率を３３％と仮定すると、１回当たりの送信において１０ｍＷ×３（効率）×０．９ｍ・ｓ＝２７μＷｓのエネルギー増加がある。このエネルギー増加と制御装置のエネルギー削減が同じになるのに要する時間ＴＥＱは２７μＷｓ＝０．３６μＷ×ＴＥＱより、ＴＥＱ＝７５ｓとなる。すなわち、７５ｓでリモコン１回の消費電力を補えることになる。一日は８６４００ｓなので１１５２回分の送信があると消費電力は相殺されることになる。通常、一日あたり数１０回の制御を考えると、本システムにより消費電力の効果はリモコンの消費電力を含めても大きいことになる。
【００５５】
続いて、図１０ないし図１２を参照して、この実施形態に係る制御装置の他の動作例について説明する。図１０は、この実施形態に係る制御装置の増幅部の動作例を示す図、図１１は、この実施形態に係るメモリ６５に記憶されるデータの例を示す図、図１２は、この実施形態に係る制御装置の他の動作例を示すフローチャートである。図３および図６に示す動作例では、増幅部４０の高感度状態に先立って補正動作によりキャリブレーションを行っていたが、図１０ないし図１２に示す動作例では、高感度状態・低感度状態のサイクルに先立って必ず補正動作が行われる。すなわち、補正動作・高感度状態・低感度状態を一つのサイクルとして繰り返す例である。周囲の環境により、制御装置をなす素子のばらつきが大きくなり、たとえば１ないし数時間単位で高感度状態の補正を要する場合が考えられる。この動作例はかかる環境に対応するものである。なお、制御装置１およびリモコン装置２の構成そのものは、図１および図２に示す構成と共通するから、重複する説明は省略する。
【００５６】
この動作例では、メモリ６５は、図１１に示すデータをあらかじめ記憶しておく。すなわち、変数ｘの値と、それに対応するＭ２ｂ−１…Ｍ２ｂ−２の接続数ｍおよびＭ３ｃ−１…Ｍ３ｃ−２の接続数ｎを、あらかじめテーブルとして備えておく。補正頻度が高くなるため、動作を高速化するためである。メモリ６５に記憶される変数ｘ、接続数ｍおよびｎの関係は、図３にて説明した対応関係と共通する。すなわち、初期状態たる変数ｘがゼロの時、Ｍ２ｂ−１…Ｍ２ｂ−２の接続数ｍは最大値であるＭとし、Ｍ３ｃ−１…Ｍ３ｃ−２の接続数ｎをゼロとする。そして、変数ｘが１ずつ増える度に接続数ｍが１ずつ減らされ、接続数ｍがゼロとなった後は接続数ｎが１ずつ加算されるように、値が組み合わされている。これにより、ＣＡＬ制御部６３は、補正動作の際にメモリ６５から接続数の値を読み出すだけで補正動作を実行することが可能になり、動作が高速化する。
【００５７】
図１２に示すように、ＣＡＬ制御部６３は、内部的に保持する変数ｘの値を初期化する（Ｓ１００）。初期状態では、増幅部４０の感度が低い状態とされる。すなわち、スイッチＳＷｂ１…ＳＷｂ２がすべてオンとされてＭ２と並列接続されたＭ２ｂ−１…Ｍ２ｂ−２の接続数が最大数とされ（ここでは並列数をＭとする）、スイッチＳＷｃ１…ＳＷｃ２がすべてオフとされてＭ３と並列接続されたＭ３ｃ−１…Ｍ３ｃ−２の接続数がゼロ（すなわちＭ３だけの状態）とされる。かかる内容は、図１１に示すようにメモリ６５にあらかじめ記憶されている。従って、ＣＡＬ制御部６３は、単に内部変数ｘを初期化するだけで接続数ｍおよびｎを併せて初期化することになる。
【００５８】
変数ｘが初期化されると、ＣＡＬ制御部６３は、スイッチ部３０をオフにする（Ｓ１０５）。スイッチ部３０をオフにすることで、増幅部４０を無信号入力状態とする。なお、スイッチ部３０を増幅部４０の入力を短絡するように接続してもよいのは図３に示す動作例と同様である。
【００５９】
スイッチ部３０がオフになると、ＣＡＬ制御部６３は、判定部５０の判定結果を検出する（Ｓ１１０）。
【００６０】
検出の結果、判定部５０の出力ＶｏがＬでない場合（Ｓ２１５のＮｏ）、ＣＡＬ制御部６３は、変数ｘから２を減じる（Ｓ２２０）。２を減じた結果、変数ｘが負となる場合は、変数ｘがゼロであるものとして処理を続行する。この動作例では、高感度状態・低感度状態のサイクルに補正動作が組み込まれているから、補正動作の結果、変数ｘが高感度状態に設定された後も、高感度状態・低感度状態を経た後に再び補正動作が行われる。このとき、初期状態から補正動作を行うのは効率が悪いため、現時点の状態よりもＭ２ｂ−１…Ｍ２ｂ−２およびＭ３ｃ−１…Ｍ３ｃ−２の接続数を２つだけ増減して低感度状態に戻した状態を初期状態とするものである。後述するが、ｘを２減じる処理は、最終的にはｘを１減じる処理を意味することになる。
【００６１】
検出の結果、判定部５０の出力ＶｏがＬの場合（Ｓ２１５のＹｅｓ）、および、ステップ１２０において変数ｘの値が変更された場合（Ｓ２２０）、ＣＡＬ制御部６３は、スイッチ部３０をオンとする（Ｓ１４５）。これにより、整流部２０と増幅部４０とが接続されて制御装置１が受信状態となる。
【００６２】
ＣＡＬ制御部６３がスイッチ部３０をオンにすると、増幅器制御部６４は、メモリ６５から現時点での変数ｘに対応する接続数ｍ、ｎを呼び出し、対応する増幅部４０のスイッチＳＷｂ１…ＳＷｂ２およびＳＷｃ１…ＳＷｃ２を制御して、所定期間ＴＨだけその状態を維持する（Ｓ２５０）。所定期間ＴＨは、増幅器制御部６４がクロック６２からの時刻信号に基づいて決定することができる。
【００６３】
次に、増幅器制御部６４は、メモリ６５から現時点での変数ｘから所定数Ｎを減じた値に対応する接続数ｍ、ｎを呼び出し、対応する増幅部４０のスイッチＳＷｂ１…ＳＷｂ２およびＳＷｃ１…ＳＷｃ２を制御して、所定期間ＴＬだけその状態を維持する（Ｓ２５５）。所定期間ＴＬも、増幅器制御部６４がクロック６２からの時刻信号に基づいて決定することができる。
【００６４】
所定期間ＴＬが経過すると、増幅器制御部６４は、変数ｘに１を加算して、処理をＣＡＬ制御部６３に渡す。ＣＡＬ制御部６３は、補正動作を再開する（Ｓ１０５）。
【００６５】
この動作例では、増幅部４０が高感度状態となるまで変数ｘが１ずつ加算され、その間補正動作・高感度状態・低感度状態が繰り返される。そして、増幅部４０が高感度状態となると、変数ｘから２を減じて、再び高感度状態・低感度状態・補正動作…のように動作を繰り返す。すなわち、増幅部４０は、常に高感度状態をなす接続数ｍ、ｎを探索しており、最終的に高感度状態が常に最良の状態前後に維持される。従って、周囲の環境が変わりやすい状態でも、常に高感度を維持しつつ、併せて消費電力の抑制を図ることができる。
【００６６】
補正動作・高感度状態・低感度状態の順番の指定の違いにより特性が大幅に変わることはないが、判定基準により都合のよい順番が存在する。例えば、判定後の設定を前回との比較において高感度側とする場合は、補正動作の後に高感度の時間帯、次に低感度の時間帯を設けたほうが設定の変化が少なくなるので、設定変更による遷移が少なくなり低消費電力化に好都合である。この動作例による消費電力の低下を考えると、補正動作時間をＴＣ、高感度の設定の時間をＴＨ、低感度の設定の時間をＴＬとすると、消費電力は常に高感度の状態に設定した場合に比べ（ＴＣ＋ＴＨ）／（ＴＣ＋ＴＨ＋ＴＬ）に低減することができる。
【００６７】
続いて、図１３・図１４および図１０を参照して、この実施形態に係る制御装置のさらに他の動作例について説明する。図１３は、この実施形態に係る制御装置の増幅部の動作例を示すフローチャート、図１４は、この実施形態に係る増幅部の動作例を示す図である。
【００６８】
図３および図５に示す動作例では、増幅部４０の高感度状態に先立って補正動作によりキャリブレーションを行っており、図１０ないし図１２に示す動作例では、高感度状態・低感度状態のサイクルに先立って必ず補正動作が行われていた。図１０ないし図１２に示す動作例では、ＴＣがＴＨとほぼ同じ時間とした場合、等価的にＴＨ期間が２倍になるので、図５に示す動作例に比べて消費電力が約２倍になってしまう。
【００６９】
そこで、以下に説明する動作例では、キャリブレーション、高感度状態および低感度状態の３状態を１周期とするモードと、高感度状態および低感度状態の２状態を１周期とするモードを切り替えることで、ＴＨ期間を相対的に抑制する。具体的には、電源立ち上げ時は図１０に示す３状態を１周期とするモードを用い、補正動作をかけて高感度点を求める。高感度点に達した後、変数ｘを２つ減少させ、１つ増加するステップを２回実行するシーケンスを繰り返す。この繰り返しが所定回数に達した場合、周囲の環境が変化しないと判定し、図１４に示した高感度状態および低感度状態の２状態を１周期とするモードへ切り替える。切り替えた後、この状態を所定の時間継続したのち、再び、補正動作・高感度状態・低感度状態の３状態を１周期とするモードへ戻るようにする。
【００７０】
すなわち、図１３に示す動作例は、補正動作・高感度状態・低感度状態を１サイクルとするモードと、高感度状態・低感度状態を１サイクルとするモードとを用意し、両者を切り替えながら動作させる。なお、制御装置１およびリモコン装置２の構成そのものは、図１および図２に示す構成と共通するから、重複する説明は省略する。
【００７１】
図１３に示す例においても、メモリ６５は、図１１に示すようにアドレスとして利用可能な変数ｘ、Ｍ２ｂ−１…Ｍ２ｂ−２の接続数ｍ、および、Ｍ３ｃ−１…Ｍ３ｃ−２の接続数ｎが対応付けられて記憶されている。また、図１３に示す例では、ＣＡＬ制御部６３および増幅器制御部６４は、内部変数としてｘに加えてＣｎｕｍ、ＣＮｎｕｍ、およびｎｃｐａｔｈを有している。変数ｘはメモリ６５におけるアドレス、同Ｃｎｕｍは高感度点の遷移の有無を判定する変数、ｎｃｐａｔｈは高感度点が遷移した場合にＣｎｕｍをリセットするために用いる変数、ＣＮｎｕｍは、２つの状態の動作をカウントする変数である。
【００７２】
図１３に示すように、ＣＡＬ制御部６３は、内部変数ｘ、Ｃｎｕｍ、ＣＮｎｕｍ、およびｎｃｐａｔｈを初期化する（Ｓ３００）。初期状態では、増幅部４０の感度が低い状態とされる。たとえば、スイッチＳＷｂ１…ＳＷｂ２がすべてオンとされてＭ２と並列接続されたＭ２ｂ−１…Ｍ２ｂ−２の接続数が最大数とされ（ここでは並列数をＭとする）、スイッチＳＷｃ１…ＳＷｃ２がすべてオフとされてＭ３と並列接続されたＭ３ｃ−１…Ｍ３ｃ−２の接続数がゼロ（すなわちＭ３だけの状態）とされる。
【００７３】
内部変数が初期化されると、ＣＡＬ制御部６３は、スイッチ部３０をオフにする（Ｓ３０５）。スイッチ部３０をオフにすることで、増幅部４０を無信号入力状態とする。
【００７４】
スイッチ部３０がオフになると、ＣＡＬ制御部６３は、内部変数ｎｃｐａｔｈに１を加算し（Ｓ３１０）、判定部５０の判定結果を検出する（Ｓ３１５）。
【００７５】
検出の結果、判定部５０の出力ＶｏがＬの場合（Ｓ３２０のＹｅｓ）、ＣＡＬ制御部６３は、変数ｎｃｐａｔｈが２以上であるか否か判定する（Ｓ３２０）。変数ｎｃｐａｔｈが２以上の場合（Ｓ３２５のＹｅｓ）、変数Ｃｎｕｍおよびｎｃｐａｔｈを初期化する（Ｓ３３５）。
【００７６】
検出の結果、判定部５０の出力ＶｏがＬでない場合（Ｓ３２０のＮｏ）、ＣＡＬ制御部６３は、変数ｘから２を減じ（Ｓ３６０）、変数Ｃｎｕｍに１を加算し（Ｓ３６５）、変数ｎｃｐａｔｈを初期化する（Ｓ３７０）。
【００７７】
変数ｎｃｐａｔｈが２未満の場合（Ｓ３２５のＮｏ）、および変数Ｃｎｕｍおよびｎｃｐａｔｈが初期化された場合（Ｓ３３５、Ｓ３７０）、ＣＡＬ制御部６３は、スイッチ部３０をオンとする（Ｓ３３０）。これにより、整流部２０と増幅部４０とが接続されて制御装置１が受信状態となる。最初のシーケンスでは、出力ＶｏがＬであり、かつ変数ｎｃｐａｔｈがゼロであるから、そのままスイッチ部３０がオンとなる。
【００７８】
スイッチ部３０がオンとなると、ＣＡＬ制御部６３は、変数Ｃｎｕｍが最大値ＣＭＡＸを超えているか否か判定する（Ｓ３４０）。変数Ｃｎｕｍが最大値ＣＭＡＸを超えていない場合（Ｓ３４０のＹｅｓ）、増幅器制御部６４は、メモリ６５から高感度状態の接続数ｍ、ｎ（変数ｘに対応する値）を呼び出し、対応する増幅部４０のスイッチＳＷｂ１…ＳＷｂ２およびＳＷｃ１…ＳＷｃ２を制御して、所定期間ＴＨだけその状態を維持する（Ｓ３４５）。
【００７９】
次に、増幅器制御部６４は、メモリ６５から低感度状態の接続数ｍ、ｎ（変数ｘ−Ｎに対応する値）を呼び出し、対応する増幅部４０のスイッチＳＷｂ１…ＳＷｂ２およびＳＷｃ１…ＳＷｃ２を制御して、所定期間ＴＬだけその状態を維持する（Ｓ３５０）。
【００８０】
所定期間ＴＬが経過すると、増幅器制御部６４は、変数ｘに１を加算して（Ｓ３５５）、増幅器制御部６４は処理をＣＡＬ制御部６３に返し、補正動作を再開する（Ｓ３０５）。
【００８１】
一方、変数Ｃｎｕｍが最大値ＣＭＡＸを超えている場合（Ｓ３４０のＮｏ）、増幅器制御部６４は、メモリ６５から高感度状態の接続数ｍ、ｎ（変数ｘに対応する値）を呼び出し、対応する増幅部４０のスイッチＳＷｂ１…ＳＷｂ２およびＳＷｃ１…ＳＷｃ２を制御して、所定期間ＴＨだけその状態を維持する（Ｓ３７５）。
【００８２】
次に、増幅器制御部６４は、メモリ６５から低感度状態の接続数ｍ、ｎ（変数ｘ−Ｎに対応する値）を呼び出し、対応する増幅部４０のスイッチＳＷｂ１…ＳＷｂ２およびＳＷｃ１…ＳＷｃ２を制御して、所定期間ＴＬだけその状態を維持する（Ｓ３８０）。
【００８３】
所定期間ＴＬが経過すると、ＣＡＬ制御部６３は、変数Ｃｎｕｍが最大値ＣＭＡＸ以上か否かを判定する（Ｓ３９０）。変数Ｃｎｕｍが最大値ＣＭＡＸ未満の場合、増幅器制御部６４は、メモリ６５から高感度状態の接続数ｍ、ｎ（変数ｘに対応する値）を呼び出し、高感度状態・低感度状態の動作とＣＮｕｍの加算処理を実行する（Ｓ３７５〜Ｓ３８５）。変数ＣＮｎｕｍが最大値ＣＮＭＡＸ以上の場合、ＣＡＬ制御部６３は変数ＣｎｕｍおよびＣＮｎｕｍを初期化して（Ｓ３９５）、補正動作を再開する（Ｓ３０５）。ここで、ＣＮｎｕｍは、高感度状態・低感度状態を１サイクルとするモードを連続して実行させる最大の回数を意味する。この値はあらかじめ設定しておくことになる。
【００８４】
この実施形態に係る制御装置では、図１０に示す補正動作・高感度状態・低感度状態を１サイクルとする動作と、図１４に示す高感度状態・低感度状態を１サイクルとする動作とを切り替えて動作する。たとえば、周囲の環境によりＭ１ないしＭ４の素子のばらつきまたは変動が大きいような場合は、補正動作の頻度を高めるべく図１０に示す動作が実行される。一方、高感度状態が安定しているような場合、補正動作を省略した図１４に示す動作が実行される。補正動作が省略されれば消費電力を抑えることができるから、図１０に示す動作と図１４に示す動作とを組み合わせることで、消費電力をより抑えることが可能になる。
【００８５】
ここで、リモコン装置２が送信する指示信号と、制御装置１の補正動作・高感度状態・低感度状態それぞれの動作との関係について説明する。図１５および図１６は、この動作例における指示信号および補正動作・高感度状態・低感度状態の関係について示す図である。
【００８６】
この動作例においても、図７ないし図９に示したリモコン装置の例と同様に、高感度状態と低感度状態の二つの動作状態を有しているから、リモコン装置と制御装置との間の距離に応じて、リモコン装置側においても消費電力を抑えることが可能である。ただし、補正動作・高感度状態・低感度状態を１サイクルとして動作している場合において、リモコン装置と制御装置との間の距離が比較的長い場合、制御装置１は補正動作期間中は受信ができないから、必ず高感度状態において受信できるような長さの指示信号を送信する必要がある。そこで、図１５に示すように、補正動作期間ＴＣ＋高感度状態ＴＨ＋低感度状態ＴＬの合計期間を制御信号送信時間ＴＣＴＬとすればよい。
【００８７】
一方、リモコン装置と制御装置との間の距離が短い場合は、補正動作期間ＴＣよりも長い時間指示信号を送信すれば、制御装置は必ず指示信号を受信することができる。
【００８８】
（第２の実施形態）
次に、図１７および図１８を参照して、他の実施形態に係る制御装置について詳細に説明する。図１７は、他の実施形態に係る制御装置の具体例を示す回路図、図１８は、図１７に示す電荷転送制御部（ＣＴＣ）の回路例を示す図である。この実施形態に係る制御装置は、第１の実施形態に係る制御装置のうち電流源を電荷転送制御部（ＣＴＣ）に置き換えたものであるから、共通する要素について同一の符号を付して示し、重複する説明を省略する。
【００８９】
図２に示す制御装置１では、電流源Ｉ１およびＩ２を用いてＭ１のしきい値電圧を上げて高感度化を図っていたが、この実施形態に係る制御装置では、電荷転送制御（ＣＴＣ）によりＭ１のしきい値電圧を設定している。
【００９０】
ＣＴＣは、自身がもつキャパシタに貯めた電荷を転送する機能を有しており、等価的に抵抗と同一の作用をするから、抵抗器と置き換え可能である。図１８に示すように、ＣＴＣは、一対のトランスファートランジスタおよびキャパシタを備えている。これにより、定常的に電流を流す必要がなくなり、入力があった時のみ電流を供給するから、第１の実施形態に係る制御装置と比較して消費電力を抑えることができる。なお、第１の実施形態の動作例（図３・図６・図１０・図１２・図１３）は、第２の実施形態に係る制御装置およびリモコン装置にも適用することができる。
【００９１】
なお、本発明は上記実施形態およびその動作例のみに限定されるものではない。たとえば、上記実施形態の説明において、図３に示す動作例では高感度状態および低感度状態の接続数についてメモリに記憶し、図１２・図１３に示す動作例では、並列接続するＭＯＳＦＥＴのすべての組み合わせをメモリに記憶するものとして説明しているが、これには限定されない。すなわち、図３に示す動作例において図１１に示すテーブルをメモリに記憶させてもよいし、図１２・図１３に示す動作例において、図３に示す動作例と同様の内容をメモリに記憶するものとしてもよい。いずれも同様の効果を得ることができる。同様に、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００９２】
本発明は、遠隔制御する電子機器に適用することができる。
【図面の簡単な説明】
【００９３】
【図１】本発明に係る一つの実施形態の制御装置の構成を示す図である。
【図２】図１に示す制御装置の具体例を示す回路図である。
【図３】この実施形態に係る制御装置の動作を示すフローチャートである。
【図４】図２に示す制御装置の変形例を示す回路図である。
【図５】この実施形態に係る増幅部の動作を示す図である。
【図６】この実施形態に係る増幅部の補正動作を示す図である。
【図７】この実施形態に係るリモコン装置が送信する指示信号の例を示す図である。
【図８】この実施形態に係るリモコン装置が送信する指示信号の例を示す図である。
【図９】この実施形態に係るリモコン装置が送信する指示信号の例を示す図である。
【図１０】この実施形態に係る制御装置の増幅部の動作例を示す図である。
【図１１】この実施形態に係るメモリ６５に記憶されるデータの例を示す図である。
【図１２】この実施形態に係る制御装置の他の動作例を示すフローチャートである。
【図１３】この実施形態に係る制御装置の増幅部の動作例を示すフローチャートである。
【図１４】この実施形態に係る増幅部の動作例を示す図である。
【図１５】この動作例における指示信号および補正動作・高感度状態・低感度状態の関係について示す図である。
【図１６】この動作例における指示信号および補正動作・高感度状態・低感度状態の関係について示す図である。
【図１７】他の実施形態に係る制御装置の具体例を示す回路図である。
【図１８】図１７に示す制御装置における電荷転送制御部（ＣＴＣ）の回路例を示す図である。
【符号の説明】
【００９４】
１…制御装置、２…リモコン装置、１０…アンテナ部、２０…整流部、３０…スイッチ部、４０…増幅部、５０…判定部、６０…制御部、７０…指示信号生成部、８０…送信部、９０…アンテナ部。
【図１】
2010045645.tif 000003
【図２】
2010045645.tif 000004
【図３】
2010045645.tif 000005
【図４】
2010045645.tif 000006
【図５】
2010045645.tif 000007
【図６】
2010045645.tif 000008
【図７】
2010045645.tif 000009
【図８】
2010045645.tif 000010
【図９】
2010045645.tif 000011
【図１０】
2010045645.tif 000012
【図１１】
2010045645.tif 000013
【図１２】
2010045645.tif 000014
【図１３】
2010045645.tif 000015
【図１４】
2010045645.tif 000016
【図１５】
2010045645.tif 000017
【図１６】
2010045645.tif 000018
【図１７】
2010045645.tif 000019
【図１８】
2010045645.tif 000020